(57)【特許請求の範囲】
【請求項１】
左右の側板の上端に天フラップがそれぞれ連設された直方体状の段ボール製の箱体内に、左右端に継板が連設された昇降板を内装し、該継板に付設された連結板を該天フラップに固設して、該左右の天フラップの拡開に伴って、該昇降板が引き上げられるようにした包装箱において、該昇降板が引き上げられた状態を保持するため、頭部と首部を有する係止材を該昇降板から切り抜いて左右端から下方外側へ折り曲げて設けるとともに、箱体の左右の側板の上端部に該係止材の頭部が嵌挿係止する段付きの係止孔を設け、天フラップの拡開に伴って係止材の頭部が係止孔へ嵌挿されて首部で係止されるようにしたことを特徴とする包装箱。
【請求項２】
前記連結板と前記天フラップとの固設は、天フラップに切り起こして形成した係止片を、連結板に形成した係止窓へ貫通させて折り曲げるようにしたことを特徴とする請求項１記載の包装箱。
【請求項３】
前記箱体と前記昇降板は、それぞれ一枚の段ボールを折り上げて作られ、前記昇降板には継板と連結板のほかに、昇降板の前端と後端に折り目を介して内側板を連設し、該箱体の段ボールから切り出した敷板を該昇降板上に敷いたことを特徴とする請求項１記載の包装箱。
【請求項４】
前記箱体の天フラップに開放時指を掛ける凹部を形成したことを特徴とする請求項１に記載の包装箱。
【請求項５】
前記昇降板の前端と後端に連設した内側板は、いずれか一方の高さを大きくし、前記天フラップの拡開時には該高さの大きい方は前記箱体の上端より上へ突出するようにしたことを特徴とする請求項３に記載の包装箱。
【発明の詳細な説明】
【技術分野】
【０００１】
本発明は、天フラップの拡開に連動して収納されている商品が上昇してくるようにした包装箱に関する。
【背景技術】
【０００２】
誕生日などのギフト用の商品の包装箱として、注目を引くような仕掛けが施されたものが求められることが少なくない。
出願人は、先に、天フラップの拡開に連動して収納されている商品が上昇してくるようにした包装箱を開発している（特許文献１）。
【０００３】
特許文献１の包装箱３００は、図８に示すように、一枚の段ボールを折り上げて作られた直方体の外箱４０の中に、昇降板４４が継板４３を介して左右の天フラップ４２に固着されて装着されている。そして、昇降板４４は天フラップ４２の拡開に伴って引き上げられる。なお、４１は蓋である。
【先行技術文献】
【特許文献】
【０００４】
【特許文献１】特開２００８−２５４７６６
【発明の開示】
【発明が解決しようとする課題】
【０００５】
特許文献１の包装箱３００は、天フラップの拡開に伴い内装されている昇降板上の商品が引き上げられるので、ギフト用の包装箱として注目されている。
しかしながら、この包装箱３００は、天フラップ４２を拡開した状態で、商品を飾っておくことができない。すなわち、この包装箱３００は、拡開した天フラップ４２から手を離すと商品の重量により昇降板が降下し、天フラップ４２を塞いでしまう。
また、昇降板４４は連設された継板４３の固着部４３ａを天フラップ４２に貼着しているので、包装箱３００の組み上げに手間と時間がかかり、しかも、廃棄のときに切断作業が必要となるという問題もある。
【０００６】
本発明は、上記の問題点を解消するものであり、昇降板が引き上げられた状態を保持できる包装箱を提供することを目的としている。さらには、昇降板の天フラップとの連結を簡便にした包装箱を提供することも目的としている。
【課題を解決するための手段】
【０００７】
上記の目的を達成するため、本発明の段ボールケースは、次のように構成した。
すなわち、左右の側板の上端に天フラップがそれぞれ連設された直方体状の段ボール製の箱体内に、左右端に継板が連設された昇降板を内装し、該継板に付設された連結板を該天フラップに固設して、該左右の天フラップの拡開に伴って、該昇降板が引き上げられるようにした包装箱において、該昇降板が引き上げられた状態を保持するため、頭部と首部を有する係止材を該昇降板から切り抜いて左右端から下方外側へ折り曲げて設けるとともに、箱体の左右の側板の上端部に該係止材の頭部が嵌挿係止する段付きの係止孔を設け、天フラップの拡開に伴って係止材の頭部が係止孔へ嵌挿されて首部で係止されるようにしたことを特徴としている。
【０００８】
この包装箱は、所定の折り目と切れ目を形成した一枚の段ボールを折り上げて作った箱体に、天フラップの拡開に伴って引き上げられる昇降板を内装し、引き上げた昇降板を保持するための手段を備えたものである。
箱体は、左右の側板の上端に天フラップが付設されたものであれば、他の構成については特に問わない。特に、底面を形成する構成については、種々の方式が公知であり、適宜な方式を選定すればよい。
【０００９】
天フラップの拡開に伴って引き上げられる昇降板が引き上げた状態を保持する手段は、昇降板を切り欠いて左右端から下方外側へ折り曲げた係止材を箱体に係止させることによって行う。係止する機構は、側板の上端に該係止材が嵌挿係止する段付きの係止孔を設け、係止材には頭部と首部を備え、頭部を嵌挿させて首部で係止するようにする。
なお、昇降板は、係止材を切り欠くと平板を敷設する必要があるが、この敷板は、請求項３に記載のように、箱体の段ボールから切り出すとよい。
【００１０】
また、連結板と天フラップとの固設は、請求項２に記載のように、天フラップに切り起こして形成した係止片を、該連結板に形成した係止窓へ貫通させて折り曲げるようにするとよい。
また、天フラップは、箱体の上部を隙間なく覆うと、指が入らず拡開するのが困難であるので、請求項４に記載のように、箱体の天フラップに開放時指を掛ける凹部を形成するとよい。
【発明の効果】
【００１１】
本発明の包装箱は、昇降板が引き上げられた状態を保持するため、頭部と首部を有する係止材を該昇降板から切り抜いて左右端から下方外側へ折り曲げて設けるとともに、箱体の左右の側板の上端部に該係止材の頭部が嵌挿係止する段付きの係止孔を設けたので、天フラップを拡開して、昇降板が所定の位置まで引き上げられると、天フラップから手を離しても自動的に係止材が箱体に係止し、昇降板が保持される。
また、連結板の該天フラップとの固設は、請求項２に記載のように、天フラップに切り起こして形成した係止片を、該連結板に形成した係止窓へ貫通させて折り曲げるようにしたので、いつでも、例えば、商品を包装するときにでも行え、また、廃棄する場合、簡単に昇降板を分離できる。
【００１２】
また、請求項３に記載のように、昇降板の前端と後端に折り目を介して内側板を連設すれば、商品が引き上げられるときに、箱体の前板または後板に摺動することがなく、祝辞などのメッセージを記載するなどの用途もある。その場合の内側板は、請求項５に記載のように、天フラップを拡開したとき箱体の上端より上方へ突出するように高さ寸法を大きくするとよい。
また、請求項４に記載のように、箱体の天フラップに開放時指を掛ける凹部を形成すれば、天フラップを簡便に開放できる。
【図面の簡単な説明】
【００１３】
【図１】本発明の包装箱の実施の形態を示す斜視図である。
【図２】同、箱体の全体斜視図である。
【図３】同、箱体の展開図である。
【図４】同、昇降体の展開図である。
【図５】同、昇降体を箱体へ装着する状態を示す斜視図である。
【図６】同、昇降体を箱体へ連結する作業の状態を示す斜視図である。
【図７】同、昇降体を係止する構造を示す斜視図である。
【図８】従来の包装箱を示す斜視図である。
【発明を実施するための形態】
【００１４】
本発明の包装箱の実施の形態を、図１〜図７に基づいて説明する。包装箱２００は、左右の側板の上端に天フラップが連設された直方体状の段ボール製の箱体１０と、左右端に継板と連結板が連設された昇降板（昇降体３０）とを組み合わせたものである。
図１は、包装箱２００の全体を示す斜視図で、図２は、箱体１０の全体を示す斜視図である。また、図３および図４は、箱体１０と昇降体３０の展開図で、図５および図６は、包装箱２００を組み上げる途中の状態を示す斜視図である。そして、図７は、昇降体３０の係止状態を示す斜視図である。
【００１５】
包装箱２００は、図１に示すように、直方体状の箱体１０に昇降体３０が取り付けられ、天フラップの拡開に伴って昇降板３３が引き上げられるように構成されている。
箱体１０は、一枚の段ボール１００を折り上げて作られ、図２に示すように、４枚の底片１９，２０，２１，２２を互いに係止させた底面と、その縁部から四方に立設した左右の側板１６，１８と前板１７と後板１５とで直方体状に形成されている。そして、左右の側板１６，１８の上端には天フラップ１２，１４が連設され、後板１５には上面を覆う蓋片１１が連設されている。
なお、箱体１０の大きさは、ここでは、４２０ｍｍ×２２５ｍｍ×１５０ｍｍ（高さ）としている。
【００１６】
昇降体３０は、図１および図５に示すように、昇降板３３の左右端縁に継板３２、３４がそれぞれ連設され、継板３２、３４の他端側に連結板３１，３５が連設されている。
そして、昇降板３３の前後に内側板３６，３７がそれぞれ連設されている。また、昇降板３３から係止材３８が切り出され継板３２，３４の裏側へ折り曲げられている。
なお、図１では、昇降板３３の上に敷板１３が置かれ、連結板３１，３５が天フラップ１２，１４に連結した状態を示し、図５は、連結板３１，３５が天フラップ１２，１４に連結してない状態を示している。なお、昇降板３３の大きさは、ここでは、３２０ｍｍ×２１０ｍｍとしている。
【００１７】
箱体１０は、図３に示す一枚の段ボール１００を、折り目に沿って折り曲げることによって、組み立てられる。
段ボール１００は、水平方向の折り目Ａとこれに平行な折り目Ｂと、これに直角方向の折り目Ｃ、Ｄ、Ｅ、Ｆによって、上部には、蓋片１１と天フラップ１２，１４が形成され、中央部には、貼着片１５ａ、後板１５、側板１６，前板１７，側板１８が形成される。そして、下部には、底片１９，２０，２１，２２が形成される。
蓋片１１には、折り目Ｇを介して差込片１１ａが連設され、折り目Ｇの中央部には係止溝１１ｂが設けられている。そして、前板１７の上端部には該掛止溝１１ｂに嵌合する係止片１７ａが設けられている。
【００１８】
天フラップ１２には、切れ目ａと縦の折り目Ｈで形成される係止片１２ａが２個設けられ、天フラップ１２の開放を容易にするための凹部１２ｂが形成されている。また、天フラップ１４も同様に係止片１４ａが２個設けられ、凹部１４ｂが形成されている。
また、側板１６，１８の天フラップ１２，１４との折り目Ａには係止孔１６ａ、１８ａが設けられている。この係止孔１６ａ，１８ａは、下側に幅の狭い段部１６ｂ，１８ｂが形成されている。
なお、図３において前板１７の上縁に連設されている敷板１３は、箱体１０自身を形成するものではなく、昇降体３０の昇降板３３上に敷かれるものである。
【００１９】
昇降体３０は、図４に示す一枚の段ボール１１０を折り目に沿って折り曲げることによって組み立てられる。
段ボール１１０は、中央部に矩形状の昇降板３３が形成され、その左右に折り目Ｌ、Ｍを介して継板３２，３４が連設され、さらに継板３２，３４の左右に折り目Ｋ、Ｎを介して連結板３１，３５が連設されている。そして、昇降板３３の前後方向に折り目Ｐ、Ｑを介して内側板３６，３７が連設されている。なお、ここでは、内側板３７は、内側板３６より高さを高くしている。
【００２０】
昇降板３３には、係止材３８が左右に対象に切り抜き形成され、折り目Ｌ、Ｍから紙面の奥側へ折り曲げ可能となっている。係止材３８には、頭部３８ａと首部３８ｂが設けられ、頭部３８ａの大きさは、天フラップ１２，１４の根本に形成した係止孔１６ａ、１８ａの長さより若干短く、首部３８ｂは係止孔１６ａ、１８ａの段部１６ｂ、１８ｂの長さより短くしている。
また、連結板３１，３５には、該天フラップ１２、１４の係止片１２ａ、１４ａが貫通する係止窓３１ａ、３５ａが形成され、また、天フラップ１２，１４に形成した凹部１２ｂ、１４ｂと同形状の凹部３１ｂ、３５ｂが形成されている。
【００２１】
次に、図３に示した段ボール１００と図４に示した段ボール１１０を折り上げて、図１の包装箱２００に組み立てる作業について説明する。
まず、段ボール１００の敷板１３を切り離し、水平方向の折り目Ａと折り目Ｂと、垂直方向の折り目Ｃ、Ｄ、Ｅ、Ｆを紙面手前側へ折り曲げ、また、蓋片１１の折り目Ｇを紙面手前側へ折り曲げ、折り癖を付ける。
そして、折り目Ｃ、Ｄ、Ｅ、Ｆを折り曲げて貼着片１５ａを側板１８へ糊付けし、底片１９、２０、２１、２２を組み合わせて底部を組み上げる。これにより、図２に示す箱体１０が組み立てられる。
【００２２】
次に、段ボール１１０の垂直の折り目Ｋ、Ｌ、Ｍ、Ｎと、水平の折り目Ｐ、Ｑを紙面手前側へ折り曲げて折り癖をつけ、昇降板３３の係止材３８を紙面奥側へ折り曲げる。
そして、係止材３８を継板３２，３４の裏側へ折り曲げた状態を保持して、折り目Ｌ、Ｍを折り曲げて、箱体１０へ装着する（図５参照）。
【００２３】
次に、連結板３１，３５を箱体１０の天フラップ１２，１４へ連結する。
この作業は、連結板３１を天フラップ１２の上に重ね、天フラップ１２の係止片１２ａを折り目Ｈから折り曲げて切り起こし、連結板３１の係止窓３１ａを貫通させて折り曲げて止める。なお、係止片１２ａは、係止窓３１ａより大きくしてあり、係止窓３１ａを貫通させるときは、折り曲げて小さくし、貫通後に拡開して抜けないように係止する。
また、連結板３５も同様にを天フラップ１４へ連結し、昇降板３３の上に敷板１３を敷く。これにより、包装箱２００の組み立てが完了する。
【００２４】
包装箱２００へ商品を収納する場合は、蓋片１１を開き、天フラップ１２，１４の凹部１２ｂ，１４ｂに指を掛けて左右へ拡開する。この操作により、昇降体３０の昇降板３３が上昇し、これにともなって係止材３８の先端部が箱体１０の側板１６，１８の内面を摺動して上昇し、側板１６，１８の上縁にそれぞれ形成された係止孔１６ａ、１８ａを貫通し、箱外へ突出する（図７参照）。
係止材３８の頭部３８ａが箱外へ出たら天フラップ１２，１４から手を離せば、係止材３８の首部３８ｂが係止孔１６ａ，１８ａの段部１６ｂ、１８ｂと嵌合して係止し、昇降板３３は、その高さで保持される。
【００２５】
この状態で、商品を敷板１３の上に置いて、係止材３８の頭部３８ａを上へ少し引き上げて首部３８ｂを段部１６ｂ、１８ｂから外し、天フラップ１２，１４を閉鎖すれば、昇降板３３は下降し、箱体１０に収納される。
天フラップ１２，１４を閉鎖したら、蓋片１１を閉じて差込片１１ａを側板片１７の上縁内側へ差し込み、係止片１７ａを係止溝１１ｂへ差し込む。これにより、商品が包装される。
なお、内側板３６，３７は、商品が箱体１０の側板片１５，１７に摺動しないように保護する目的で付設しているが、送り主からのメッセージを記載したり、写真を貼り付けるなど適宜利用することができる。
【００２６】
一方、この包装箱２００を廃棄する場合は、天フラップ１２、１４の係止片１２ａ，１４ａを係止窓３１ａ，３５ａから外して、連結板３１，３５との連結を外して、昇降体３０を取り外す。そして、箱体１０の底片１９、２０、２１、２２の組み合わせを解いて折り目Ａ、Ｂを伸ばせば、貼着片１５ａで連結された二つ折りの平板状にできる。これにより、全てが嵩張らない状態にできる。
【００２７】
なお、上記の実施の形態においては、発明の内容をより理解しやすくするために、箱体１０および昇降体３０の大きさを寸法を示して説明したが、これに限定するものでないことは当然である。
【符号の説明】
【００２８】
１００  段ボール（箱体）
１１０  段ボール（昇降体）
２００  包装箱
３００  包装箱
１０  箱体
１１  蓋片
１１ａ  差込片
１１ｂ  係止溝
１２  天フラップ
１２ａ  係止片
１２ｂ  凹部
１３  敷板
１４  天フラップ
１４ａ  係止片
１４ｂ  凹部
１５  後板
１５ａ  貼着片
１６  側板
１６ａ  係止孔
１６ｂ  段部
１７  前板
１７ａ  係止片
１８  側板
１８ａ  係止孔
１８ｂ  段部
１９、２０、２１、２２  底片
３０  昇降体
３１  連結板
３１ａ  係止窓
３１ｂ  凹部
３２  継板
３３  昇降板
３４  継板
３５  連結板
３５ａ  係止窓
３５ｂ  凹部
３６  内側板
３７  内側板
３８  係止材
３８ａ  頭部
３８ｂ  首部
４０  外箱
４１  蓋
４２  天フラップ
４３  継板
４３ａ  固着部
４４  昇降板
Ａ、Ｂ、Ｃ、Ｄ  折り目
Ｅ、Ｆ、Ｇ，Ｈ  折り目
Ｋ、Ｌ、Ｍ、Ｎ  折り目
Ｐ、Ｑ          折り目
ａ  切れ目
【図１】
0006456103.tif 000002
【図２】
0006456103.tif 000003
【図３】
0006456103.tif 000004
【図４】
0006456103.tif 000005
【図５】
0006456103.tif 000006
【図６】
0006456103.tif 000007
【図７】
0006456103.tif 000008
【図８】
0006456103.tif 000009